(57)【特許請求の範囲】
【請求項１】
ベース部と、踏み込み操作により前記ベース部の前部に設けられた回動軸を中心に回動自在なフットボードとを備え、電子打楽器のラックにおける取付部材に対して取り付けられて使用される電子打楽器用のペダル装置であって、
第１の弾性体を有し、前記ラックにおける前記取付部材に取り付けられる被取付部と、
前記ベース部の下面に設けられ、接地面に当接する第２の弾性体とを有し、
前記被取付部の前記第１の弾性体と前記ベース部の前記第２の弾性体とを介して、前記ラック及び前記接地面に弾性的に支持されることを特徴とする電子打楽器用のペダル装置。
【請求項２】
前記被取付部において、前記第１の弾性体には、後方に向かい且つ前記取付部材における取付面に向かって突設される複数の突起部が含まれることを特徴とする請求項１記載の電子打楽器用のペダル装置。
【請求項３】
前記複数の突起部には突設高さが異なる複数の種類が存在し、そのうち一部の種類の突起部は非踏み込み操作時には前記取付面に当接しないことを特徴とする請求項２記載の電子打楽器用のペダル装置。
【請求項４】
前記ベース部の前記第２の弾性体には、前記接地面に向かって突設される複数の突起部が含まれることを特徴とする請求項１〜３のいずれか１項に記載の電子打楽器用のペダル装置。
【請求項５】
前記複数の突起部には突設高さが異なる複数の種類が存在し、そのうち一部の種類の突起部は非踏み込み操作時には前記接地面に当接しないことを特徴とする請求項４記載の電子打楽器用のペダル装置。
【発明の詳細な説明】
【技術分野】
【０００１】
本発明は、電子打楽器用のペダル装置に関する。
【背景技術】
【０００２】
従来、電子打楽器用のペダル装置が知られている。例えば、下記特許文献１に示されるペダル装置は、パッドを支持するラックにおけるパイプ状等の取付部材に後部が取り付けられると共に、接地面（床面）に載置される。
【０００３】
また、フットボードは非踏み込み操作時に後部が上方に傾斜しており、踏み込まれると水平に近くなる。そのため、フットボードを踏み込むと、ペダル装置のベース部を介して接地面に垂直方向の力が加わると共に、ラックにおける取付部材に対して後方への力が加わる。
【先行技術文献】
【特許文献】
【０００４】
【特許文献１】特開２００８−２３３５２３号公報
【発明の概要】
【発明が解決しようとする課題】
【０００５】
しかしながら、上記特許文献１を含む従来のペダル装置では、ベース部の下面に設けられた硬いゴムが接地面に当接し、ペダル装置の後部についてはラックの取付部材に剛結されている。そのため、ペダルの踏み込み操作で発生する上記の力により、接地面に対しては垂直方向の振動が伝わり、ラックに対しては主に前後方向への振動が伝わる。
【０００６】
これらの振動は、音を発生させるだけでなく、特にラックとの関係においては、ペダル装置の振動がラックに支持されているパッドへ伝わったり、逆にパッドからペダル装置に振動が伝わったりすることもある。そのため操作感にも悪影響を及ぼす。
【０００７】
本発明は上記従来技術の問題を解決するためになされたものであり、その目的は、ラック及び接地面に対する振動伝達を抑制することにある。
【課題を解決するための手段】
【０００８】
上記目的を達成するために本発明の請求項１の電子打楽器用のペダル装置は、ベース部（１１）と、踏み込み操作により前記ベース部の前部に設けられた回動軸（２１）を中心に回動自在なフットボード（２０）とを備え、電子打楽器のラックにおける取付部材（２９）に対して取り付けられて使用される電子打楽器用のペダル装置であって、第１の弾性体（３０）を有し、前記ラックにおける前記取付部材に取り付けられる被取付部（１２）と、前記ベース部の下面に設けられ、接地面（２４）に当接する第２の弾性体（４０）とを有し、前記被取付部の前記第１の弾性体と前記ベース部の前記第２の弾性体とを介して、前記ラック及び前記接地面に弾性的に支持されることを特徴とする。
【０００９】
好ましくは、前記被取付部において、前記第１の弾性体には、後方に向かい且つ前記取付部材における取付面（２９ａ）に向かって突設される複数の突起部（３１、３２）が含まれる。好ましくは、前記複数の突起部には突設高さが異なる複数の種類が存在し、そのうち一部の種類の突起部（３２）は非踏み込み操作時には前記取付面に当接しない。好ましくは、前記ベース部の前記第２の弾性体には、前記接地面に向かって突設される複数の突起部（４１、４２）が含まれる。好ましくは、前記複数の突起部には突設高さが異なる複数の種類が存在し、そのうち一部の種類の突起部（４２）は非踏み込み操作時には前記接地面に当接しない。
【００１０】
なお、上記括弧内の符号は例示である。
【発明の効果】
【００１１】
本発明の請求項１によれば、ラック及び接地面に対する振動伝達を抑制することができる。
【００１２】
請求項２によれば、踏み込み時の後方への力による振動の伝達を抑制することができる。
【００１３】
請求項３、５によれば、作用するバネ定数を段階的に変化させることができる。
【００１４】
請求項４によれば、踏み込み時の下方への力による振動の伝達を抑制することができる。
【図面の簡単な説明】
【００１５】
【図１】本発明の一実施の形態に係る電子打楽器用のペダル装置の模式的な平面図、側面図、底面図である。
【図２】１つのラック用弾性体の側面図、正面図、１つの接地用弾性体の縦断面図、底面図である。
【図３】接地用弾性体が有する振動伝達の周波数特性を示す図である。
【図４】縦型のパイプに取り付けるペダル装置の前部の平面図、側面図である。
【図５】接地用弾性体の変形例を示す縦断面図である。
【発明を実施するための形態】
【００１６】
以下、本発明の実施の形態を図面を参照して説明する。
【００１７】
図１（ａ）、（ｂ）、（ｃ）は、本発明の一実施の形態に係る電子打楽器用のペダル装置の模式的な平面図、側面図、底面図である。このペダル装置は、例えば、電子打楽器としての電子バスドラムに用いられるキックペダルとして構成される。このペダル装置は、接地面である床面２４の上に載置されて使用され、フットボード２０の踏み込みにより演奏操作がされる。図１は、フットボード２０が非操作状態である自由状態を示している。以降、ペダル装置の前後、上下方向は、水平な床面２４に載置された状態を基準とし、図１（ｂ）の左側、上側が、それぞれ前側、上側とする。
【００１８】
ペダル装置は、床面２４に水平なベース部１１と、ベース部１１の後半部から上方に突設されたカバー１２とを有する。ベース部１１の上に板状のフットボード２０が配設される。
【００１９】
ベース部１１の前部にはヒール１９が設けられ、ヒール１９に、左右方向（図１（ａ）の上下方向）に沿って回動軸２１が設けられる。回動軸２１に、フットボード２０の前端部２０ａが軸支されている。これにより、フットボード２０は、回動軸２１を中心に自由端部である後端部２０ｂが上下方向（図１（ｂ）の時計及び反時計方向）に回動自在になっている。以降、回動方向については、後端部２０ｂが時計方向に回動する方向を「踏み込み方向」、反時計方向に回動する方向を「踏み上げ方向」とも呼称する。フットボード２０の後端部２０ｂの下部には、押し子２２が前方に延設される。
【００２０】
ベース部１１の前後方向中間部には、コイルバネ１６が配設される。コイルバネ１６は、ベース部１１の上面とフットボード２０の下面とに接続固定されている。フットボード２０は、足を乗せていない非操作状態で且つ自由状態において、その自重によりコイルバネ１６を少し圧縮させて、図１（ｂ）に示すような平衡状態となる。フットボード２０は、踏み上げ方向の上限位置と踏み込み方向の下限位置（踏み込み終了位置）との間を回動可能範囲としている。
【００２１】
ベース部１１の上面には、アクチュエータ１４が配設される。アクチュエータ１４は、ゴム等の弾性体で構成され、前端がベース部１１に固定され、後半部が上方に湾曲して弧を描く形状に形成されている。アクチュエータ１４の下方でベース部１１の上面には、不図示のセンサパターンでなるセンサが備えられる。
【００２２】
フットボード２０が踏み込みされて押し子２２によりアクチュエータ１４の自由端（後端）が押圧される。アクチュエータ１４がほぼ水平に近くなるまで押圧されると、それがフットボード２０の往方向の回動終了位置、すなわち、上記した踏み込み方向の下限位置となる。
【００２３】
センサにアクチュエータ１４が接触すると、接触状態に応じた検出信号が出力される。その接触面積は、アクチュエータ１４の変形が大きいほど、すなわち、フットボード２０のベース部１１に対する踏み込み方向への回動角度が大きいほど大きくなる。センサ１５は、アクチュエータ１４との接触面積が大きいほど、電気抵抗値が小さくなるように構成される。その抵抗値の変化を把握することにより、フットボード２０の位置や踏み込み強さが検出され、それらに応じて、発生する音の音量や音色等を変化させることができる。
【００２４】
検出信号は、不図示のジャックを通じて出力され、出力された信号は、打撃演奏トリガ信号として不図示の信号処理部に送られ、打撃演奏データに変換されたり、リアルタイムに音響に変換されたりする。なお、センサの構成は問わず、アクチュエータ１４からの押圧力によりフットボード２０の位置や押圧強さを検出できるものでればよい。例えば、ピエゾセンサであってもよい。
【００２５】
一方、ペダル装置を単独で手で持って逆さまにした場合等には、フットボード２０が踏み上げ方向に大きく回動することがある。その場合、フットボード２０に固定された規制片２３（図１（ｂ））が、カバー１２に設けられた不図示のストッパ部に当接することで、踏み上げ方向の上限位置が規定される。
【００２６】
ベース部１１の下面には、複数（４個）の接地用弾性体４０が取り付け固定される。ペダル装置は、４個の接地用弾性体４０を介して床面２４に支持される。一方、カバー１２の前部が、ラックにおける取付部材であるパイプ２９に取り付けられ、それにより、ペダル装置がラックに対して固定される。すなわち、カバー１２の前部下部には、カバー１２の幅方向の２箇所にラック用弾性体３０が設けられ（図１（ｃ））、ラック用弾性体３０がパイプ２９の上半部を包むように掴んでいる。従って、ペダル装置は、ラックのパイプ２９と床面２４によって固定的な位置に支持される。
【００２７】
ところで、ラックは、不図示のパッドを複数支持するドラムスタンドであり、そのうちパイプ２９は、床面２４に横たわるように配設される。図１に示す例では、パイプ２９に対して略垂直な方向がペダル装置の前後方向（長手方向）となる。
【００２８】
図２（ａ）、（ｂ）は、１つのラック用弾性体３０の側面図、正面図である。２つのラック用弾性体３０の構成は同じである。ラック用弾性体３０は、側面視で下方が開口するＵ字型に構成される。ラック用弾性体３０のＵ字の外側には溝部３３が形成される。溝部３３がカバー１２のリブ１２ａに嵌合され接着等で固定されることで、カバー１２にラック用弾性体３０が取り付けられる。
【００２９】
ラック用弾性体３０のＵ字の内面３０ａからは、突起部３１、３２が突設される。突起部３１、３２は、断面円形のパイプ２９の中心に向かって突設される。また、突起部３１、３２には、後方を向いているもの、前方を向いているもの、及び下方を向いているものがある。すなわち、突起部３１、３２は、パイプ２９を前後及び上方から囲んでいる。
【００３０】
突起部３１、３２の突設高さは２種類で、突起部３１は突起部３２よりも突設高さが高い。ペダル装置を演奏していない非踏み込み操作時においては、突起部３１の先端がパイプ２９における取付面である外周面２９ａに当接しているが、突起部３２は外周面２９ａに当接していない。
【００３１】
図２（ｃ）は、１つの接地用弾性体４０の縦断面図である。図２（ｄ）は、１つの接地用弾性体４０の底面図である。４つの接地用弾性体４０の構成及び取り付け態様は同じである。接地用弾性体４０は、円盤部４３を有し、円盤部４３がネジ２４にてベース部１１に螺着固定される。
【００３２】
円盤部４３の下面４３ａからは、下方に向かって突起部４１、４２が突設される。突起部４１、４２の突設高さは２種類で、突起部４１は突起部４２よりも突設高さが高い。ペダル装置を演奏していない非踏み込み操作時においては、突起部４１の先端が床面２４に当接しているが、突起部４２は床面２４に当接していない。
【００３３】
従って、ペダル装置は、ラック用弾性体３０及び接地用弾性体４０を介してのみ、パイプ２９と床面２４とに弾性的に支持されることになる。ラック用弾性体３０及び接地用弾性体４０に採用する弾性材料や性質については、ペダル装置の振動がパイプ２９や床面２４に伝達されにくように考慮して決める。まず代表として、接地用弾性体４０について説明する。
【００３４】
図３（ａ）、（ｂ）は、接地用弾性体４０が有する振動伝達の周波数特性を示す図である。接地用弾性体４０に採用するバネ定数または質量によって、固有振動数（共振周波数）ｆ０が変化する。図３（ａ）に示す曲線Ｌ１は、曲線Ｌ２に比べ、バネ定数を小さくするか、または質量を小さくして慣性を小さくした場合の特性である。振動の伝達効率は、固有振動数ｆ０の１．４倍（＝１．４ｆ０）より高い周波数以上で１以下となり、振動が遮断される効果が高まる。そこで、固有振動数ｆ０が極力低くなるような弾性材料を選定するのがよい。
【００３５】
また、図３（ｂ）に曲線Ｃ１〜Ｃ４で示すように、固有振動数ｆ０が同じであっても、選定する弾性材料自身が有する損失によって振動伝達効率が変化する。例えば、減衰の度合いが高い材料を用いることで、曲線Ｃ４のように、伝わる振動の増加を低く抑えることが可能となる。
【００３６】
これらの観点から、本実施の形態では、接地用弾性体４０には、エラストマ（天然ゴム、ＥＰＤＭ、ＢＲ、ＣＲ、シリコン等）を採用している。また、ラック用弾性体３０にも同様の材料を採用している。
【００３７】
かかる構成において、非演奏操作状態からフットボード２０を踏み込むと、フットボード２０が、回動軸２１を中心に図１（ｂ）の時計方向に回動する。するとまず、フットボード２０からは後方への力が生じ、ラック用弾性体３０において後方を向いて突設されている突起部３１、３２のうち、突起部３１が潰れる（弾性変形する）。その際、後方への力が一定以上であると、潰れた突起部３１の周辺の突起部３２がパイプ２９の外周面２９ａに当接するようになる。非常に大きな力が加わった場合は、突起部３２も潰れてラック用弾性体３０の内面３０ａがパイプ２９の外周面２９ａに当接することとなる。
【００３８】
このように、力の大きさによって突起部３１、３２、内面３０ａが順番に作用し、反力が段階的に増すようになっている。これは、後方への力についてであるが、下方への力に関しては、ラック用弾性体３０の内面３０ａの天井に突設されている突起部３１、３２が同様に作用し、前方への力に関しては、前方を向いて突設されている突起部３１、３２が同様に作用する。
【００３９】
作用するバネ定数としては、突起部３１、３２、内面３０ａのいずれまでが当接しているかによって段階的に変化することになる。突起部３２が作用する頻度が高くないように設定することで、多くの場合において突起部３１のみの当接で済むようにすれば、振動遮断効果が高い。
【００４０】
一方、フットボード２０からの下方への力によって、接地用弾性体４０の突起部４１、４２、円盤部４３の下面４３ａについては、突起部３１、３２、内面３０ａと同様に、力の大きさに応じて順番に、段階的に床面２４に当接するよう作用する。突起部４２、円盤部４３の下面４３ａが床面２４に当接し得るのは、通常、フットボード２０が踏み込み方向の下限位置となったときである。ところで、フットボード２０からの下方への力に対しては、接地用弾性体４０の突起部４１、４２とラック用弾性体３０において下方に向けて突設されている突起部３１、３２とが協働して作用する。
【００４１】
本実施の形態によれば、ペダル装置が、ラック用弾性体３０と接地用弾性体４０とを介して、ラック及び床面２４に弾性的に支持されるので、ラック及び床面２４に対する振動伝達を抑制することができる。
【００４２】
また、ラック用弾性体３０及び接地用弾性体４０にはそれぞれ、突設高さが異なる複数種類の突起部が存在するので、作用するバネ定数を段階的に変化させることができる。特に、単純な弾性体と比べて、突起部の数や形状等によってバネ定数を適切に設計しやすい。
【００４３】
ところで、ラック用弾性体３０は、パイプ２９の上側の半円部を覆うように形成されたが（図２（ａ））、パイプ２９の全周を覆うように構成してもよい。
【００４４】
突起部３１、３２、４１、４２は、ラック用弾性体３０や接地用弾性体４０と一体に形成することは必須でない。また、突設高さが異なる突起部毎に異なる材料を採用してもよい。また、突起部の突設高さは２種類としたが、３種類以上としてもよい。
【００４５】
フットボード２０を踏み込む際にはパイプ２９に対して主として後方に力が加わる。従って、構成を簡単にする観点からは、突起部３１、３２については、パイプ２９の前側の外周面２９ａに当接するものだけを設ける構成としてもよい。また、図４に変形例を示すように、ラックの取付部材（パイプ２９）は、必ずしも左右方向に延在するものでなくてもよい。
【００４６】
図４（ａ）、（ｂ）は、縦型のパイプ２９に取り付けるペダル装置の前部の平面図、側面図である。ラックにおいて鉛直方向に延在するパイプ２９にペダル装置を取り付ける場合、ラック用弾性体３０については、後方に開口するＵ字型に構成する。そして、パイプ２９の前半部を覆うようにラック用弾性体３０を配設する。また、カバー１２の後部にケースクランプ１３を設け、ケースクランプ１３の前面に弾性体５０を取り付ける。弾性体５０がパイプ２９の後部に当接するようにする。突起部３１、３２の突設高さ等の設定は図２の例と同様である。
【００４７】
これにより、ペダル装置が、ラック用弾性体３０と接地用弾性体４０とを介して、ラック及び床面２４に弾性的に支持される。ペダル装置の後方、左右方向への力はラック用弾性体３０の突起部３１、３２によって受け止められ、前方への力は弾性体５０によって受け止められる。弾性体５０の材料はラック用弾性体３０と同じでもよい。また、弾性体５０にも、突起部３１、３２と同様の突起部を設けてもよい。
【００４８】
また、振動伝達抑制の観点からは、突起部３１、３２、４１、４２は必須でなく、弾性を有すればよい。弾性材料や弾性体の形状も上記の例示に限定されない。接地用弾性体４０を例にとって図５の変形例を説明する。
【００４９】
図５（ａ）〜（ｅ）は、接地用弾性体４０の変形例を示す縦断面図である。まず、図５（ａ）に示す例のように、接地用弾性体４０は、気泡を有するスポンジ状の弾性体であってもよい。弾性体の硬度、床面２４との接触面積によりバネ定数を適切に設定し、材料自在の損失と気泡状態にて損失の調整を行う。
【００５０】
また、図５（ｂ）に示すように、ソリッドのゴム等の弾性体を採用してもよい。また、取り付け態様に関しては、図５（ｃ）に示すように、接地用弾性体４０を、ベース部１１の上側から配設してベース部１１の下方に一部が突出するようにしてもよい。この場合は、ネジ４５の頭がベース部１１の下方にないので、ベース部１１と床面２４との距離を小さくすることができる。
【００５１】
また、図５（ｄ）に示すように、接地用弾性体４０にフランジ部４０ｂを設け、ベース部１１の穴に貫通・嵌合して配設してもよい。この場合は、固定のためのネジが不要になり、部品点数が削減される。
【００５２】
あるいは、図５（ｅ）に示すように、接地用弾性体４０として金属バネ４７を採用してもよい。金属バネ４７の線径、外形、有効巻数でバネ定数を調整できるので、ゴム等に比し、バネ定数を正確に設計でき、固有振動数ｆ０の設定が容易である。金属バネ４７自体は損失が小さいため、高い損失を確保するために、金属バネ４７の外周はゴム材料４６でコーティングされている。このほか、金属バネ４７等の損失が小さい弾性体を採用する場合は、ゴム等の材料を並設してもよい。
【００５３】
図５に示す各変形例は、適宜、ラック用弾性体３０にも適用可能である。
【００５４】
なお、床面２４に対する振動伝達を抑制する観点に限れば、ラック用弾性体３０を設けることなく、ペダル装置を、接地用弾性体４０を介して床面２４に弾性的に支持させるだけでも、一定の効果はある。
【符号の説明】
【００５５】
１１  ベース部、  １２  カバー（被取付部）、  ２０  フットボード、  ２１  回動軸、  ２４  床面（接地面）、  ２９  パイプ（取付部材）、  ２９ａ  外周面（取付面）、  ３０  ラック用弾性体（第１の弾性体）、  ３１、３２、４１、４２  突起部、  ４０  接地用弾性体（第２の弾性体）
【図１】
0005720348.tif 000002
【図２】
0005720348.tif 000003
【図３】
0005720348.tif 000004
【図４】
0005720348.tif 000005
【図５】
0005720348.tif 000006